(57)【要約】【課題】能動反射相殺方式を採用するディスクドライブ書込み装置【解決手段】書込みドライバ回路は書込みヘッドに書込み電流を第一と第二の反対の方向に選択的に供給する。この書込みドライバ回路は書込みヘッドに相互接続を介して接続される。この書込みドライバ回路は、書込みヘッドに入射書込み電流信号を相互接続を通じて供給することに加えて、書込みヘッドに反射相殺信号を相互接続を通じて供給する。１つの実施例においては、この入射書込み電流信号は、書込みヘッドに入射電圧信号を加えることで供給され、この反射相殺信号は書込みヘッドに反射相殺電圧信号を加えることで供給される。１つの実施例においては、この反射相殺信号は相互接続と書込みヘッド間のインタフェースの所でインピーダンスの不整合のために反射される反射信号を相殺するための入射書込み電流信号の遅延され、かつフィルタリングされたバージョンから成る。【選択図】　　　図５
2004079147.tif 000002
【特許請求の範囲】
【請求項１】
書込みヘッドに書込み電流を第一と第二の反対の方向に選択的に書込みドライバ回路を用いて相互接続を介して供給する方法であって：
該書込みヘッドに入射書込み電流信号を該相互接続を通じて供給するステップと、
該書込みヘッドに反射相殺信号を該相互接続を通じて供給するステップ、とを含むことを特徴とする方法。
【請求項２】
該反射相殺信号が該相互接続と該書込みヘッド間のインタフェースの所で反射された反射信号を相殺する該入射書込み電流信号の遅延され、かつフィルタリングされたバージョンから成る請求項１記載の方法。
【請求項３】
該相互接続がある特性伝播時間を有し、該相互接続と書込みヘッド間のインタフェースがある反射係数を有し、該反射相殺信号が該相互接続の特性伝播時間の２倍に相当する時間だけ遅延され、かつ該相互接続と書込みヘッド間のインタフェースの反射係数と一致するようにフィルタリングされる請求項２記載の方法。
【請求項４】
該入射書込み電流信号を供給するステップと反射相殺信号を供給するステップが：
該書込みヘッドに入射電圧信号を該相互接続を介して加えるステップと、
該書込みヘッドに反射相殺電圧信号を該相互接続を介して加えるステップ、から成る請求項１記載の方法。
【請求項５】
書込みヘッドに書込み電流を第一と第二の反対の方向に選択的に供給するための書込みドライバ回路であって、該書込みドライバ回路が相互接続によって該書込みヘッドに接続され：
該書込みヘッドに入射電圧信号を該相互接続を介して加えるための第一の電圧供給回路と、
該書込みヘッドに反射相殺電圧信号を該相互接続を介して加えるための第二の電圧供給回路とを備えることを特徴とする書込みドライバ回路。
【請求項６】
該第二の電圧供給回路が該入射電圧信号を減衰し、かつ歪みを加えるためのフィルタと、該入射電圧信号を遅延するための遅延回路を備える請求項５記載の書込みドライバ回路。
【請求項７】
該相互接続がある特性伝播時間を有し、
該相互接続と書込みヘッド間のインタフェースがある反射係数を有し、
該フィルタが該入射電圧信号を該相互接続と書込みヘッド間のインタフェースの反射係数と一致するすように減衰し、かつ歪みを加えるように構成され、
該遅延回路が該相互接続の特性伝播時間の２倍に等しい遅延を導入するように構成される請求項６記載の書込みドライバ回路。
【請求項８】
該書込みドライバ回路が該書込みヘッドに加えられる入射電圧信号と反射相殺電圧信号の極性を変えるためのスイッチング回路を含み、このスイッチング回路がＨ−ブリッジ構成を有し：
第一の固定電位と該書込みヘッドの両端子間に接続された対のエミッタフォロアトランジスタと、
該書込みヘッドの両端子間と第二の固定電位に接続された対の電流ミラーとを備える請求項５記載の書込みドライバ回路。
【請求項９】
該書込みドライバ回路の要素が集積回路（ＩＣ）として実現される請求項５記載の書込みドライバ回路。
【発明の詳細な説明】
【発明の属する技術分野】
【０００１】
本発明は磁気ディスクドライブの書込みヘッド用の駆動回路、より詳細には、能動的な反射相殺方式を利用する書込み回路に係わるが、この回路の前置増幅器は歪みのない書込み信号を抵抗性インピーダンス整合方式を用いる書込み回路と比較して高いピーク電圧にて供給することができる。
【従来の技術】
【０００２】
リジッド磁気ディスクドライブは、各々がその末端部に読出しヘッドと書込みヘッドを有し、Ｅ−ブロックと共に磁気記録ディスクの半径方向を横断して移動するように配置された複数のアクチュエータアームをサポートするＥ−ブロックアセンブリを採用する。書込み回路すなわち書込みドライバは、これらアクチェエータアームの基部の所でＥ−ブロック上に搭載され、末端部において相互接続ケーブルを通じてこれら書込みヘッドに接続された集積回路チップ内に含まれる。
【０００３】
典型的な書込み回路の前置増幅器は、書込みヘッドに加える概ね方形波の書込み電圧パターンを生成し、この結果として概ね方形波の書込み電流パターンが書込みヘッドに供給される。各パルスは、立上り時間部分、オーバシュート部分及び定常状態部分から成る。オーバシュート部分は書込み電流の絶対値が定常状態電流の絶対値を超えるパルスの部分であり、例えば、定常状態電流が４０ｍＡである場合、オーバシュート電流は約７０ｍＡなるピーク値に達することがある。立上り時間は、電流が一方の方向から他方の方向に変わるとき、その電流がその定常状態値の１０％から９０％に変化するまでに要する時間として定義される。こうして、４０ｍＡなる定常状態書込み電流に対してプログラムされた書込み回路の場合は、立上り時間は、書込みヘッダ内の電流が−３２ｍＡから＋３２ｍＡに、或いはこの逆に変化するまでに要する時間として定義される。
【０００４】
歴史的には、従来の書込み回路に対してそれらの性能を向上させるための多くの改善が図られてきている。これには、とりわけ、書込み電流波形の立上り時間部分を低減するために回路のスイッチング速度の改善する分野や、アンダシュートやリンギング（過渡的発振）を最小に押さえながら速い立上り時間を達成するために波形のオーバシュート部分に工夫を施す分野などが含まれるが、ただし、これらの改善された書込み回路でも、相互接続へのインピーダンスの整合を達成することは不可能であった。このようなインピーダンスの整合には、書込みヘッドと並列な小さな抵抗が要求されるが、これはこの回路の動作の際に書込み電流の幾らかを書込みヘッドからそらし、このため書込み回路の性能を劣化させる。インピーダンスの整合の欠如は、結果としてパターンに依存する歪みをもたらし、このため書込み回路の性能が制限される。
【０００５】
１９９９年１２月３０日付けでＪ．Ｌｅｉｇｈｔｏｎ，Ｒ．Ｂａｒｎｅｔｔ及びＴ．Ｎｇｏらによって出願された「Ｉｍｐｅｄａｎｃｅ−Ｍａｔｃｈｅｄ　Ｗｒｉｔｅ　Ｃｉｒｃｕｉｔ（インピーダンス整合書込み回路）」なる名称の合衆国特許出願Ｎｏ．０９／４７５，９０９は、従来の書込み回路のそれとは幾らか異なる原理に基づいて動作し、これによってパターンに依存する歪みを低減或いは除去するインピーダンス整合書込み回路を開示する。この回路のインピーダンス整合方式では、書込みドライバの性能は改善されるが、ただし、結果として、直列のインピーダンス整合抵抗間の電圧降下が原因で、書込みドライバの前置増幅器によって供給される電圧が低下する。
【０００６】
【発明が解決しようとする課題】
インピーダンスの整合によるパターンに依存する歪みの低減及び／或いは除去を達成でき、しかも前置増幅器の全電圧を書込み回路に供給することができる書込みドライバが求められているが、本発明の課題はこのような書込みドライバを構成することにある。
【０００７】
【課題を解決するための手段】
本発明は、書込みヘッドに書込み電流を第一と第二の反対の方向に選択的に供給するための書込みドライバ回路及び方法に係わる。この書込みドライバ回路は書込みヘッドに相互接続を介して接続される。この書込みドライバ回路は、書込みヘッドに入射書込み電流信号（ｉｎｃｉｄｅｎｔ　ｗｒｉｔｅ　ｃｕｒｒｅｎｔ　ｓｉｇｎａｌ）を相互接続（ｉｎｔｅｒｃｏｎｎｅｃｔ）を通じて供給することに加えて、書込みヘッドに反射相殺信号（ｒｅｆｌｅｃｔｉｏｎ　ｃａｎｃｅｌｌａｔｉｏｎ　ｓｉｇｎａｌ）を相互接続を通じて供給する。１つの実施例においては、この入射書込み電流信号は書込みヘッドに入射電圧信号を加えることで供給され、この反射相殺信号は書込みヘッドに反射相殺電圧信号を加えることで供給される。１つの実施例においては、この反射相殺信号は相互接続と書込みヘッド間のインタフェースの所でインピーダンスの不整合のために反射される反射信号を相殺するための入射書込み電流信号の遅延され、かつフィルタリングされたバージョンから成る。
【０００８】
【発明の実施の形態】
図１は相互接続１４を介して書込みヘッド１２に、ディスクドライブなどのメモリデバイスに通常のやり方にて、接続された書込み回路１０を示す図である。書込みヘッド１２はメモリ媒体（例えば、ディスク）と直接に相互作用するように配置されるが、書込み回路１０は、典型的には、書込みヘッド１２から遠隔に配置され、この理由により、相互接続１４が書込み回路１０を書込みヘッド１２に接続するために必要となる。
【０００９】
相互接続１４は、書込み回路１０並びに書込みヘッド１２のインピーダンスとは不整合な特性インピーダンスを有する。一つの構成例においては、相互接続１４は、１００オームの差動インピーダンス（Ｚｄｉｆｆ）と３０オームの同相モードインピーダンス（Ｚｃｍ）を有し、書込みヘッド１２は、２００オームの並列な抵抗（ＲＰ）と並列な７ナノヘンリーのインダクタンス（Ｌ）と、この並列なＬ−ＲＰ回路と直列な１０オームなる直列な抵抗（ＲＳ）を有する。このようなインピーダンスの不整合のために、書込み回路と相互接続間のインタフェース及び相互接続と書込みヘッド間のインタフェースの所で信号の反射が起こり、これに起因してパターンに依存する歪（ｐａｔｔｅｒｎ　ｄｅｐｅｎｄｅｎｔ　ｄｉｓｔｏｒｔｉｏｎ）が発生する。
【００１０】
図２は書込み回路によって書込みヘッドに加えられる一例としての書込みヘッド電圧波形２０を示す線図である。書込みヘッド電圧波形２０は、書込みヘッドに流れる電流の方向が切り替わる際に、当初の定常状態値（−ＶＳＳ）から反対の定常状態値（＋ＶＳＳ）へとスイッチする。この波形はスイッチングの際の立上り時間部分２２と、これに続くオーバシュート部分２４とを有し、最終的は、定常状態値へとセトリングする。
【００１１】
図３は、インピーダンスが整合されてないシステムにおいて、これも書込みヘッドに加わる一例としての反射書込みヘッド電圧波形（ｒｅｆｌｅｃｔｅｄ　ｗｒｉｔｅ　ｈｅａｄ　ｖｏｌｔａｇｅ　ｗａｖｅｆｏｒｍ）３０を示す線図である。図１との関連で簡単に説明すると、書込み回路１０は、ある時点において信号を生成し、この信号は相互接続１４に沿って伝播し、時点ｔ１において書込みヘッド１２に到着する。この信号は相互接続１４と書込みヘッド１２間のインタフェースの所で、このインタフェースのインピーダンスの不整合のために反射される。こうして反射される信号は、元の信号の減衰され、かつ歪められたバージョンであり、これは相互接続に沿って書込み回路１０へと戻り、ここで再び、相互接続１４と書込み回路１０間のインタフェースの所でのインピーダンスの不整合のために反射される。この反射信号は、更に減衰され、かつ歪められ、相互接続１４に沿って伝播し、時間（ｔ１＋２τ）において書込みヘッド１２に到着するが、ここでτは、相互接続１４の伝播時間（ｐｒｏｐａｇａｔｉｏｎ　ｔｉｍｅ）を表す。書込みヘッドに加わるこの「２度反射された」信号が図３において、遅延され、かつ歪められた信号３２として示される。こうして、書込みヘッドに加わる信号は、全体として、図２に示す生成された書込みヘッド電圧波形２０と図３に示す反射された書込みヘッド電圧波形３０との総和となる。
【００１２】
反射信号のこのパターンに依存する歪みは、結果として、書込みドライバ回路の性能を制限する。相互接続と書込みヘッド間のインタフェースの所での反射を低減するために、１つのやり方として、書込み回路１０をディスクドライブの支持台の上に移動させ、こうして書込み回路１０を書込みヘッド１２のすぐ隣に配置することで、相互接続１４の必要性を排除することもできる。ただし、このアプローチには、様々な機械的な問題や、コストが高くなることなどを含めて、多くの問題があり、このため書込み回路１０をディスクドライブの支持台の上に配置することは現実的ではない。
【００１３】
上述のように、相互接続１４とのインタフェースの所の反射は、合衆国特許出願Ｎｏ．０９／４７５，９０９において開示されるインピーダンス整合書込み回路を用いることで低減或いは除去することができる。この回路の概念が図４に非常に簡略化された形式にて示される。この回路を用いると書込みドライバの性能を向上させることはできるが、ただし、この回路では、結果として、書込みドライバの前置増幅器によって相互接続を通じて書込みヘッドに供給される電圧（ＶＴＬ）が直列のインピーダンス整合抵抗（ＲＰＡ）間での電圧降下のために低減される。書込み電流のオーバシュートに対する要件は増加の一途にあるために、書込み回路によって可能な限り高い電圧を供給できることが引き続いて要請されることが考えられる。本発明は、パターンに依存する歪みを低減或いは除去でき、しかも、相互接続を通じて書込みヘッドに高い電圧を供給することを可能とするための代替の書込み回路設計に係わる。
【００１４】
図５は本発明の概念を示す図である。書込み回路の前置増幅器は、書込みヘッドを駆動するための信号（ＶＰＡ）を生成する。これは図２に示すような従来の書込みドライバ電圧信号である。この書込み回路は、更に、さもなければパターンに依存する歪みをもたらすインピーダンスの不整合に起因する（図３に示すような）反射信号（ＶＲＥＦ）を相殺するための信号（−ＶＲＥＦ）を生成する。相互接続を通じて書込みヘッドに供給される正味信号（ｎｅｔ　ｓｉｇｎａｌ）は、従って、実際に反射された信号が反射相殺信号によって相殺されるために、図２に示す歪みのない信号（ＶＰＡ）と同一となる。この構成では、インピーダンス整合抵抗間の電圧降下は発生せず、このため全ピーク電圧（ＶＰＡ）をそのまま書込みヘッドに供給することができ、こうして要求される書込み電流オーバシュート対応能力に十分に答えることができる。
【００１５】
所望の性能を達成するためには、この相殺信号（−ＶＲＥＦ）は、相互接続と書込みヘッド間のインピーダンスの不整合に起因する実際の反射信号のタイミング及び形状と正確に一致（マッチ）することが要求される。この相殺信号の遅延時間は、相互接続の遅延時間の２倍とされ、この振幅は、生成される波形と相互接続と書込みヘッド間のインタフェースの反射係数（ｒｅｆｌｅｃｔｉｏｎ　ｃｏｅｆｆｉｃｉｅｎｔ）に基づいて決められる。この反射係数は以下のように定義される：
【数１】
2004079147.tif 000003
ここで、ＺＨは書込みヘッドのインピーダンスを表し、ＲＴＬは相互接続の特性インピーダンスを表す。
【００１６】
書込みヘッドのインピーダンスは図６に示すようなやり方にて比較的単純にモデル化することができる。端子４０と４２の間に定義される書込みヘッドは、直列抵抗ＲＳ、並列抵抗ＲＰ、及び並列インダクタンスＬＰを有する。こうして、この書込みヘッドモデルのインピーダンスは以下のように定義できる：
【数２】
2004079147.tif 000004
式（２）を式（１）に代入することで、相互接続と書込みヘッド間のインタフェースの反射係数を、書込みヘッドと相互接続のパラメータとして以下のように表すことができる：
【数３】
2004079147.tif 000005
この反射係数は従って以下のように零と極から成る：
【数４】
2004079147.tif 000006
【数５】
2004079147.tif 000007
これら極及び零周波数は以下の典型的なシステムパラメータを用いることで容易に定量化することができる：
ＬＰ　　　＝　７ナノヘンリー（ｎＨ）
ＲＳ　　　＝　１０オーム（Ω）
ＲＰ　　　＝　２００Ω
ＲＴＬ　　＝　７０Ω
ｆＰＯＬＥ＝　−１．３０ギガヘルツ（ＧＨｚ）
ｆＺＥＲＯ＝　１．９５ＧＨｚ
【００１７】
これら極と零の周波数は、長所として、当分野において周知の比較的単純なフィルタ設計によって簡単に実現することができる。図７にはこれら極と零の周波数を有するフィルタの一例が示される。
【００１８】
反射された信号を効果的に相殺するためには、相殺信号は（相互接続と書込みヘッド間のインピーダンスの不整合なインタフェースの反射係数をエミュレートする図７に示すフィルタにて）正確な歪を加えるとともに、正確に遅延させることが要求される。アナログによる遅延はディスクドライブ回路などのシリコン回路の背景においては達成することが困難であるために、書込み電圧信号は、遅延機能がデジタル的に遂行できるように、方形波（デジタル信号）の組合せとして生成する方が有利であり、これは非常に簡単に実現できる。前置増幅器によって生成される（図５に示すような）信号ＶＰＡは、従って図８に示すように、方形波の総和として生成される。この信号ＶＰＡの波形は、２つの方形波を合計することで構成され、これらの内の第二の方形波は第一の方形波からプログラムされた時間定数だけ遅延される。書込み回路の反射された信号を相殺するための信号−ＶＲＥＦ（図５参照）は、信号ＶＰＡの波形を相互接続の時間定数の２倍に相当する期間だけ遅延させ、これを図７に示すようなフィルタにてインピーダンスの不整合に起因する歪みをシミュレートするようにフィルタリングすることで構成される。
【００１９】
図９は本発明の１つの実施例による能動反射相殺方式（ａｃｔｉｖｅ　ｒｅｆｌｅｃｔｉｏｎ　ｃａｎｃｅｌｌａｔｉｏｎ）を採用する書込み回路の線図である。この書込み回路は基本的には２つの部分、つまり、対のエミッタフォロアトランジスタ（ＱｌとＱ３）を有する上側セクションと、対の電流ミラー（Ｑ０−Ｑ２とＱ５−Ｑ４）を有する下側セクションとを含む。この回路は当分野において周知のようにＨ−ブリッジとして構成される。本発明と従来のＨ−ブリッジ書込み回路の相違点は、回路を駆動するために用いる信号にある。これら駆動信号が、前置増幅器によって供給される入射書込み電流信号（Ｉ０とＩ３）、及び上述のようにこの入射書込み電流信号の遅延され、かつフィルタリングされたバージョンである反射相殺信号（Ｉ１とＩ２）を表す理想電流源Ｉ０、Ｉ１、Ｉ２、及びＩ３として示される。
【００２０】
動作において、この書込み回路は、当初は、入射書込み電流信号は零で、入射書込み電流信号の補数（ｃｏｍｐｌｅｍｅｎｔ）は「高」値の状態で動作し、このときは、電流は、Ｉ０を通じては流れず、Ｉ３を通じて（アースに向かって）「下へと」流れる。この初期状態においては、トランジスタＱ１及び、トランジスタＱ５とＱ４にて形成される電流ミラーはオンとなり、一方トランジスタＱ３及び、トランジスタＱ０とＱ２にて形成される電流ミラーはオフとなる。
【００２１】
書込みヘッドにて遷移を記録することが必要となると、ヘッドに流れる書込み電流の方向が切り替えられる。こうして、入射書込み電流信号は零から「高値」にスイッチし、入射書込み電流信号の補数は「高」値から零にスイッチし、この結果として、電流は、Ｉ０を通じて（アースに向かって）「下へと」流れ、Ｉ３を通じては流れなくなる。この状態においては、トランジスタＱ３及び、トランジスタＱ０とＱ２にて形成される電流ミラーがオンとなり、一方トランジスタＱ１及び、トランジスタＱ５とＱ４にて形成される電流ミラーはオフとなる。
【００２２】
相互接続の遅延時間の２倍に相当する期間の後に書込み電流がスイッチされると、この反射相殺信号によって書込みヘッドに向かって反射された実際の反射信号が相殺される。この反射相殺信号（Ｉ２）はトランジスタＱ０とＱ２によって形成される電流ミラーによって複写（ｍｉｒｒｏｒｅｄ）され、入射書込み電流信号Ｉ０からこの反射相殺信号（Ｉ２）が引かれる。この結果として、相互接続と書込みヘッド間のインタフェースの所のインピーダンスの不整合に起因して発生する書込み電流信号の実際の反射が相殺される。
【００２３】
もう１つの遷移を書込みヘッドによって記録するためには、ヘッドに流れる書込み電流の方向が再び切り替えられる。入射書込み電流信号は「高」値から零にスイッチし、このため、電流は、Ｉ０を通じては流れず、Ｉ３を通じて（アースに向かって）「下へと」流れることとなる。この状態においては、トランジスタＱ１及び、トランジスタＱ５とＱ４にて形成される電流ミラーがオンとなり、一方トランジスタＱ３、及びトランジスタＱ０とＱ２にて形成される電流ミラーはオフとなる。
【００２４】
相互接続の遅延時間の２倍に相当する期間の後に書込み電流がスイッチされると、反射相殺信号の補数によって書込みヘッドに向かって反射された実際の信号が相殺される。この反射相殺信号の補数（Ｉ１）がトランジスタＱ５とＱ４によって形成される電流ミラーによって複写（ｍｉｒｒｏｒｅｄ）され、入射書込み電流信号Ｉ３からこの信号（Ｉ１）引かれる。この結果として、相互接続と書込みヘッド間のインタフェースの所のインピーダンスの不整合に起因して発生する書込み電流信号の実際の反射が相殺される。
【００２５】
図９に示す回路は相互接続と書込みヘッドのインピーダンスの不整合に起因して発生する反射信号を相殺する信号を供給する本発明の能力を示す。これによって直列抵抗を用いるインピーダンス整合方式において見られる利用可能な電圧の電圧降下を回避しながら、きれいな歪みのない信号を書込みヘッドに供給することが可能となる。
【００２６】
図１０は本発明による能動反射相殺方式を採用する書込み回路の一例としての完全な回路実現を示す線図である。図１０に示す回路は単に本発明を実施するに当たっての最良の形態を解説する目的で示したものであり、本発明の範囲をいかようにも制限することを意図するものではないことに注意する。この回路の内の図９に示される要素を機能的に表す部分は、この回路の理解を助けるためにラベル付きブロックにて囲んで示されている。この回路全体の動作特性は本出願及び本出願と同じ日に、　Ｊ．　Ｌｅｉｇｈｔｏｎ，　Ｃ．　Ｅｌｌｉｏｔｔ，　Ｍ．　０’Ｂｒｉｅｎ，　Ｃ．　Ｒａｂｅ，　Ｎ．　Ｋｒｅｎｚ，　Ｒ．　Ｗｉｍｍｅｒ　及びＳ．　０’Ｂｒｉｅｎらによって出願された「Ｄｉｓｋ　Ｄｒｉｖｅ　Ｗｒｉｔｅｒ　Ｗｉｔｈ　Ｃａｐａｃｉｔｉｖｅ　Ｂｏｏｓｔ」　なる名称の合衆国国特許出願明細書及び図面との関連で容易に理解できると考えるので詳しくはこれについても参照されたい。
【００２７】
より具体的には、図１０に示すように、ＶＦＩＬＴＥＲＰとＶＦＩＬＴＥＲＮ端子の所にヘッドと相互接続とのインタフェースの反射係数をエミュレートし、反射相殺電流Ｉ１とＩ２を生成するためにフィルタが接続される。このフィルタは、１つの実施例においては図７に示すようなやり方にて実現される。ＶＮＯＮＤＥＬＡＹＮ、ＶＮＯＮＤＥＬＡＹＰ、ＶＤＥＬＡＹＰ及びＶＤＥＬＡＹＮ端子は書込み電流Ｉ０とＩ３を形成するための総和方形波信号（ｓｕｍｍｅｄ　ｓｑｕａｒｅ　ｗａｖｅ　ｓｉｇｎａｌｓ）を供給する。
【００２８】
本発明はインピーダンス整合の所望の効果（つまり書込みヘッドに供給される書込み信号の歪みの低減或いは除去）を、直列インピーダンス整合抵抗などの受動インピーダンス整合に起因する信号レベルの低下を伴うことなく達成する。これは、相互接続と書込みヘッド間のインピーダンスの不整合に起因して発生する反射信号を能動的に相殺することで達成される。この反射相殺信号は、相互接続と書込みヘッド間のインタフェースの反射係数をエミュレートするフィルタを用いて入射書込み信号に歪みを加え、更に、この信号を相互接続の伝播時間の二倍に相当する期間だけ遅延させることで生成される。この結果、書込み信号内のパターンに依存する歪みが低減或いは除去され、書込み回路の性能が向上される。
【００２９】
上では本発明が好ましい実施例との関連で説明されたが、本発明の精神及び範囲から逸脱することなく、形態及び細部について変更が可能である。より具体的には、上では本発明の幾つかの形態が離散デバイスの形態として説明されたが、この回路は集積回路（ＩＣ）の形態として実現することもできる。従って「デバイス（ｄｅｖｉｃｅ）」等の用語は、機能要素として説明できるＩＣの部分並びに離散デバイスを含むように最も広義に解釈されるべきである。同様に、上では論理ゲート及びチップを用いて実現されるものとして説明された本発明の幾つかの実施例は離散デバイスとしても実現でき、これら全てが本発明の精神及び範囲内に入るものである。
【図面の簡単な説明】
【図１】書込みヘッドにディスクドライブなどのメモリデバイスに通常のやり方にて相互接続を介して接続された書込み回路を示す図である。
【図２】書込み回路によって書込みヘッドに加えられる一例としての書込みヘッド電圧波形を示す線図である。
【図３】これもインピーダンスが整合されてないシステムにおいて書込みヘッドの所に存在する一例としての反射された書込みヘッド電圧波形を示す線図である。
【図４】インピーダンス整合書込み回路の線図である。
【図５】本発明による反射相殺回路の線図である。
【図６】書込みヘッドのインピーダンス特性をモデル化する線図である。
【図７】本発明によるインピーダンスが不整合な相互接続と書込みヘッド間のインタフェースの反射係数をエミュレートするための一例としてのフィルタの線図である。
【図８】本発明による書込み回路の前置増幅器によって生成される信号を示す線図である。
【図９】本発明の１つの実施例による能動反射相殺方式を採用する書込み回路の線図である。
【図１０】本発明による能動反射相殺方式を採用する書込み回路の一例としての完全な回路実現を示す線図である。
【符号の説明】
１０　書込み回路
１２　書込みヘッド
１４　相互接続
２０　書込みヘッドの電圧波形
２２　立上り時間部分
２４　オーバシュート部分
【図１】
2004079147.tif 000008
【図２】
2004079147.tif 000009
【図３】
2004079147.tif 000010
【図４】
2004079147.tif 000011
【図５】
2004079147.tif 000012
【図６】
2004079147.tif 000013
【図７】
2004079147.tif 000014
【図８】
2004079147.tif 000015
【図９】
2004079147.tif 000016
【図１０】
2004079147.tif 000017